(57)【要約】【課題】            井戸や地中などの穴から、パイプを引き上げる際または引き下ろす際に、簡便な操作で、連結パイプを所定の高さ位置に固定することができ、作業に要する手間とコストを軽減することのできる連結パイプ支持具を提供すること。【解決手段】        本発明の連結パイプ支持具１は、連結部材８により連結されたパイプ９を穴７から引き上げる際または引き下ろす際に、所定の高さ位置で当該パイプ９を支持するためのものである。当該連結パイプ支持具１は、パイプ９の直径以上で且つ連結部材８の直径よりも小さい幅の係止部２と、パイプ９の直径以上の幅を有し係止部２にパイプ９を挿入するための開口部３と、を有する間隙が設けられた連結部材支持部５を備える。【選択図】          図１
2020066943.tif 000002
【特許請求の範囲】
【請求項１】
連結部材により連結されたパイプを穴から引き上げる際又は引き下ろす際に、所定の高さ位置で当該パイプを支持するための連結パイプ支持具であって、
前記パイプの直径以上で且つ前記連結部材の直径よりも小さい幅の係止部と、前記パイプの直径以上の幅を有し前記係止部に前記パイプを挿入するための開口部と、を有する間隙が設けられた連結部材支持部を備えることを特徴とする連結パイプ支持具。
【請求項２】
前記連結部材支持部を２つ以上備えることを特徴とする請求項１記載の連結パイプ支持具。
【請求項３】
前記連結部材支持部として、少なくとも吸込パイプ用連結部材支持部と、圧力パイプ用連結部材支持部とを備えることを特徴とする請求項２記載の連結パイプ支持具。
【請求項４】
前記連結部材支持部は、前記開口部に向かって拡開するものであることを特徴とする請求項１ないし３のいずれかに記載の連結パイプ支持具。
【請求項５】
前記穴の上に載置可能な板状に形成されていることを特徴とする請求項１ないし４のいずれかに記載の連結パイプ支持具。
【発明の詳細な説明】
【技術分野】
【０００１】
本発明は、連結部材により連結された連結パイプを穴から引き上げる際又は引き下ろす際に用いる連結パイプ支持具に関するものである。
【背景技術】
【０００２】
井戸は、長年使用すると、配管に劣化や損傷が生じ、パイプの洗浄・修理・交換等の作業が必要となる。従来、これらの作業に伴うパイプの引き上げや引き下ろしは、作業者がパイプを手で直接掴んで行っている。
【０００３】
しかしながら、例えば、深井戸用ポンプ装置で用いられるパイプは、通常、長さが数ｍ〜数十ｍに達し、重さが数十ｋｇに及ぶことから、手作業による深井戸のパイプの引き上げや引き下ろしには、数人の人手を要するという問題があった。また、パイプを井戸に落下させてしまうと再び引き上げることは困難であるため、パイプを落下させないように慎重且つ一気に作業を行わなければならないという問題があった。
【０００４】
このような問題を解決するために、例えば、巻上機を用いてパイプを引き上げ、所定の高さ位置において固定板でパイプを挟み込んで固定する、という作業を繰り返して、段階的にパイプの引き上げを行う方法がある（例えば、特許文献１）。
【先行技術文献】
【特許文献】
【０００５】
【特許文献１】特開２０００−１９９３９５
【発明の概要】
【発明が解決しようとする課題】
【０００６】
しかしながら、上述した従来の方法は、パイプを所定の高さ位置で固定するために、ハンドルの操作により固定板を前後に移動させてパイプを挟み込む必要があり、非常に手間がかかるものであった。また、パイプを巻上機で引き上げ可能にするための保持部材をパイプに装着しなければならず、これも手間がかかるものであった。
【０００７】
そこで本発明は、井戸や地中などの穴から、パイプを引き上げる際または引き下ろす際に、簡便な操作で、パイプを載置することができ、作業に要する手間とコストを軽減することのできる連結パイプ支持具を提供することを目的とする。
【課題を解決するための手段】
【０００８】
本発明の連結パイプ支持具は、連結部材により連結されたパイプを穴から引き上げる際または引き下ろす際に、所定の高さ位置で当該パイプを支持するための連結パイプ支持具であって、前記パイプの直径以上で且つ前記連結部材の直径よりも小さい幅の係止部と、前記パイプの直径以上の幅を有し前記係止部に前記パイプを挿入するための開口部と、を有する間隙が設けられた連結部材支持部を備えることを特徴とする。
【０００９】
また、本発明の連結パイプ支持具は、前記連結部材支持部を２つ以上具備するものであってもよい。この場合、前記連結部材支持部としては、少なくとも吸込パイプ用連結部材支持部と、圧力パイプ用連結部材支持部とを備えるものとすることができる。
【００１０】
また、前記連結部材支持部は、前記開口部に向かって拡開するものであってもよい。
【００１１】
また、本発明の連結パイプ支持具は、前記穴の上に載置可能な板状に形成されていてもよい。
【００１２】
本発明の連結パイプ支持具は、井戸用の穴に用いることができる。
【発明の効果】
【００１３】
本発明の連結パイプ支持具は、パイプの直径と当該パイプの連結部材の直径の差を利用し、パイプの連結部を引っ掛けることにより連結パイプを支持するものである。したがって、大掛かりな装置を使用せずに簡便な操作で、連結パイプを所定の高さ位置に固定することができ、作業に要するコストと手間を軽減することができる。
【図面の簡単な説明】
【００１４】
【図１】本発明の連結パイプ支持具を示す斜視図である。
【図２】本発明の連結パイプ支持具を示す平面図である。
【図３】本発明の連結パイプ支持具を示す断面図である。
【図４】本発明の別の連結パイプ支持具を示す平面図である。
【図５】本発明の更に別の連結パイプ支持具を示す平面図である。
【発明を実施するための形態】
【００１５】
以下に、本発明の実施形態を、図１〜図５を用いて詳細に説明する。
【００１６】
本発明の連結パイプ支持具１は、図１に示すように、連結部材８により連結されたパイプ９を穴７から引き上げる際または引き下ろす際に、所定の高さ位置で当該パイプ９を支持するためのものである。当該連結パイプ支持具１は、図２に示すように、パイプ９の直径以上で且つ連結部材８の直径よりも小さい幅の係止部２と、パイプ９の直径以上の幅を有し係止部２にパイプ９を挿入するための開口部３と、を有する間隙が設けられた連結部材支持部５を備える。
【００１７】
ここで、穴とは、パイプ９が収納される空間を意味し、例えば、井戸や配管のために地中に掘られた穴７が該当する。
【００１８】
パイプ９とは、水やガスなどの流体の導管を指し、例えば、樹脂製のパイプや、スチール製のパイプが含まれる。また、本発明におけるパイプ９の直径とは、パイプ９の外径を指す。したがって、例えば、呼び径３０の塩化ビニル製パイプ（ＶＰ３０）の場合、パイプ９の直径は、約３８ｍｍとなる。
【００１９】
連結部材８とは、パイプ９の端部に嵌め込んで、複数のパイプ９を繋ぐために使用される部材を指し、例えば、塩化ビニル製のパイプを連結するＴＳ継手やＤＶ継手がある。また、本発明における連結部材８の直径とは、連結部材８の外径を指す。したがって、例えば、呼び径３０のＴＳ継手（ＴＳソケット）の場合、連結部材８の直径は、約４６ｍｍとなる。なお、連結部材８が複数のサイズの外径を有する場合には、連結部材８の直径とは、最も大きなサイズの外径を指す。したがって、例えば、呼び径３０×２０のＴＳ継手（ＴＳ径違いソケット）の場合、連結部材８の直径は、約４６ｍｍとなる。
【００２０】
連結部材支持部５は、連結パイプ支持具１の側面に形成された間隙を備える。当該間隙は、連結部材８の係止を可能にする係止部２と、係止部２にパイプ９を挿入するための開口部３とで主に構成される。
【００２１】
係止部２は、パイプ９の引き上げ又は引き下ろしの際に、図３に示すように、連結パイプのパイプ９の部分を挿入可能で且つ連結部材８の一部（例えば、下端81）を載置できるように形成される。したがって、当該係止部２は、パイプ９の直径以上で且つ連結部材８の直径よりも小さい幅で形成する必要がある。例えば、連結パイプのパイプ９の直径が３８ｍｍであり、連結部材８の直径が４６ｍｍである場合、係止部２の幅は、３８ｍｍ以上４６ｍｍ未満にすれば良い。
【００２２】
開口部３は、少なくともパイプの長手方向に直交する方向からパイプ９を間隙の係止部２に挿入するためのものである。したがって、当該開口部３は、連結パイプ支持具１の側面に、パイプ９の直径以上の幅で形成すれば良い。例えば、連結パイプのパイプ９の直径が３８ｍｍである場合、開口部３の幅は、３８ｍｍ以上にすれば良い。
【００２３】
間隙をこのように形成することにより、パイプ９の引き上げ又は引き下ろしの際に、連結パイプ支持具１の側面から、開口部３を通して間隙にパイプ９を挿入し、その後パイプ９を下ろして、係止部２の上に連結部材８の一部（例えば、下端81）を載置することができる。
【００２４】
連結部材支持部５の間隙の形状は、上述した係止部２と開口部３とを有するものであれば、特に限定されるものではなく、任意の形状とすればよい。例えば、図４（ａ）に示すように、間隙の開口部３とは反対側の端部４の形状は矩形状に限定されるものではなく、Ｕ字状であっても良い。また、間隙は、例えば、図４（ｂ）、（ｃ）に示すように、テーパ状や放物線状のような、端部４側から開口部３側に向かって拡開する形状とすることもできる。これにより、外径の異なる種々のパイプに対応することが可能となる。また、図示しないが、間隙全体の形状は、Ｉ字状に限定されるものではなく、Ｌ字状やＴ字状、Ｊ字状などとすることも可能である。
【００２５】
また、連結部材支持部５の数は、特に限定されるものではないが、図２に示すように、２つ以上とすることで、利便性を高めることができる。例えば、穴７が深井戸用の穴である場合、パイプには、吸込パイプと圧力パイプがある。したがって、連結部材支持部５として、吸込パイプ用連結部材支持部と、圧力パイプ用連結部材支持部とを備えるものとすることができる。これにより、当該２本のパイプを同時に且つ安定的に引き上げる又は引き下ろすことができる。なお、２つ以上の連結部材支持部５を備える場合、図２に示すように、開口部３を共通するように形成されたものであってもよい。また、図２に示すように、連結パイプ支持具１の異なる側面に開口部３を有するように形成されたものであってもよい。
【００２６】
連結パイプ支持具１の形状は、連結部材支持部５を備え、パイプの引き上げ又は引き下ろしの動線上に設置可能であるように構成されるものであれば、どのようなものであってもよい。例えば、図２に示すように、鉄板のように板状に形成されたものや、図５に示すように、鉄筋のような棒状の材料で形成されたものとすることができる。また、連結パイプ支持具１の外形は、矩形状に限定されるものではなく、例えば、円状等にしても良い。また、連結パイプ支持具１は、穴７の口の上に載置できるように穴７の内径よりも大きく形成されたものであってもよいし、穴７の口から離れた場所に設置できるように脚を有するものであってもよい。例えば、井戸の場合、当該井戸に用いられるケーシングパイプの穴７の上に載置できるように、当該ケーシングパイプの少なくとも一部を覆うことが可能なサイズに形成することができる。
【産業上の利用可能性】
【００２７】
本発明の連結パイプ支持具は、連結パイプの洗浄・修理・交換等の作業のために、井戸等の穴７から連結パイプを引き上げたり引き下げたりする際に利用することができる。
【符号の説明】
【００２８】
１  連結パイプ支持具
２  係止部
３  開口部
４  端部
５  連結部材支持部
７  穴
８  連結部材
９  パイプ
81  下端
【図１】
2020066943.tif 000003
【図２】
2020066943.tif 000004
【図３】
2020066943.tif 000005
【図４】
2020066943.tif 000006
【図５】
2020066943.tif 000007
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
連結部材により連結されたパイプを穴から引き上げる際又は引き下ろす際に、所定の高さ位置で当該パイプを支持するための連結パイプ支持具であって、
前記パイプの直径以上で且つ前記連結部材の直径よりも小さい幅の係止部と、前記パイプの直径以上の幅を有し前記係止部に前記パイプを挿入するための開口部と、を有する間隙が設けられた連結部材支持部を２つ以上備えることを特徴とする連結パイプ支持具。
【請求項２】
連結部材により連結されたパイプを穴から引き上げる際又は引き下ろす際に、所定の高さ位置で当該パイプを支持するための連結パイプ支持具であって、
前記パイプの直径以上で且つ前記連結部材の直径よりも小さい幅の係止部と、前記パイプの直径以上の幅を有し前記係止部に前記パイプを挿入するための開口部と、を有する間隙が設けられた連結部材支持部を備え、
前記連結部材支持部は、前記開口部に向かって拡開するものであることを特徴とする連結パイプ支持具。
【請求項３】
連結部材により連結されたパイプを穴から引き上げる際又は引き下ろす際に、所定の高さ位置で当該パイプを支持するための連結パイプ支持具であって、
前記パイプの直径以上で且つ前記連結部材の直径よりも小さい幅の係止部と、前記パイプの直径以上の幅を有し前記係止部に前記パイプを挿入するための開口部と、を有する間隙が設けられた連結部材支持部を備え、前記穴の上に載置可能な板状に形成されていることを特徴とする連結パイプ支持具。
【請求項４】
前記連結部材支持部として、少なくとも吸込パイプ用連結部材支持部と、圧力パイプ用連結部材支持部とを備えることを特徴とする請求項１ないし３のいずれかに記載の連結パイプ支持具。